【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値の符号と前記第１の値の次に算出された第２の値の符号が同一となる回数をカウントするカウント手段と、
前記カウント手段によってカウントされた値に応じて、記録材の種類を判別する制御手段と、
を有することを特徴とする記録材判別装置。
【請求項２】
前記照射手段は、第１の照射部又は第２の照射部を有し、
前記読取手段は、前記第１の照射部から照射されて記録材で反射された反射光又は前記第２の照射部から照射されて記録材を透過した透過光を画像として読み取ることを特徴とする請求項１に記載の記録材判別装置。
【請求項３】
前記カウント手段は、第１の画素の光量値から前記第１の画素と隣り合う第２の画素の光量値を引いた第１の値が正であり、前記第２の画素の光量値から前記第２の画素と隣り合う第３の画素の光量値を引いた第２の値も正になるとカウントを行うことを特徴とする請求項１に記載の記録材判別装置。
【請求項４】
前記カウント手段は、第１の画素の光量値から前記第１の画素と隣り合う第２の画素の光量値を引いた第１の値が負であり、前記第２の画素の光量値から前記第２の画素と隣り合う第３の画素の光量値を引いた第２の値も負になるとカウントを行うことを特徴とする請求項１に記載の記録材判別装置。
【請求項５】
前記カウント手段は、第１の画素の光量値から前記第１の画素と隣り合う第２の画素の光量値を引いた第１の値がゼロであり、前記第２の画素の光量値から前記第２の画素と隣り合う第３の画素の光量値を引いた第２の値もゼロになるとカウントを行うことを特徴とする請求項１に記載の記録材判別装置。
【請求項６】
前記制御手段は、記録材の種類がラフ紙か否かを判別することを特徴とする請求項１に記載の記録材判別装置。
【請求項７】
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値と前記第１の値の次に算出された第２の値が正であり且つ前記第２の値が前記第１の値から増加している場合の回数をカウントするカウント手段と、
前記カウント手段によってカウントされた値に応じて、記録材の種類を判別する制御手段と、
を有することを特徴とする記録材判別装置。
【請求項８】
前記照射手段は、第１の照射部又は第２の照射部を有し、
前記読取手段は、前記第１の照射部から照射されて記録材で反射された反射光又は前記第２の照射部から照射されて記録材を透過した透過光を画像として読み取ることを特徴とする請求項７に記載の記録材判別装置。
【請求項９】
前記カウント手段は、第１の画素の光量値から前記第１の画素と隣り合う第２の画素の光量値を引いた第１の値が正であり、前記第２の画素の光量値から前記第２の画素と隣り合う第３の画素の光量値を引いた第２の値が、前記第１の値よりも大きな値で且つ正になるとカウントを行うことを特徴とする請求項７に記載の記録材判別装置。
【請求項１０】
前記制御手段は、記録材がグロスフィルムか、グロス紙か、普通紙か、を判別することを特徴とする請求項７に記載の記録材判別装置。
【請求項１１】
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値の符号と前記第１の値の次に算出された第２の値の符号が同一となる回数をカウントして第３の値とし、前記第１の値と前記第２の値が正であり且つ前記第２の値が前記第１の値から増加している場合の回数をカウントして第４の値とするカウント手段と、
前記カウント手段によってカウントされた第３の値及び第４の値に応じて、記録材の種類を判別する制御手段と、
を有することを特徴とする記録材判別装置。
【請求項１２】
前記照射手段は、第１の照射部又は第２の照射部を有し、
前記読取手段は、前記第１の照射部から照射されて記録材で反射された反射光又は前記第２の照射部から照射されて記録材を透過した透過光を画像として読み取ることを特徴とする請求項１１に記載の記録材判別装置。
【請求項１３】
前記制御手段は、記録材がグロスフィルムか、グロス紙か、普通紙か、ラフ紙か、を判別することを特徴とする請求項１１に記載の記録材判別装置。
【請求項１４】
画像形成手段と、
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値の符号と前記第１の値の次に算出された第２の値の符号が同一となる回数をカウントするカウント手段と、
前記カウント手段によってカウントされた値に応じて、前記画像形成手段による画像形成条件を制御する制御手段と、
を有することを特徴とする画像形成装置。
【請求項１５】
画像形成手段と、
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値と前記第１の値の次に算出された第２の値が正であり且つ前記第２の値が前記第１の値から増加している場合の回数をカウントするカウント手段と、
前記カウント手段によってカウントされた値に応じて、前記画像形成手段による画像形成条件を制御する制御手段と、
を有することを特徴とする画像形成装置。
【請求項１６】
画像形成手段と、
記録材に光を照射する照射手段と、
前記照射手段によって照射された記録材からの光を受光し、複数画素を有する画像として読み取る読取手段と、
前記読取手段により読み取られた画像における複数画素の光量値の差の値を算出する算出手段と、
前記算出手段によって算出された第１の値の符号と前記第１の値の次に算出された第２の値の符号が同一となる回数をカウントして第３の値とし、前記第１の値と前記第２の値が正であり且つ前記第２の値が前記第１の値から増加している場合の回数をカウントして第４の値とするカウント手段と、
前記カウント手段によってカウントされた第３の値及び第４の値に応じて、前記画像形成手段による画像形成条件を制御する制御手段と、
を有することを特徴とする画像形成装置。
【手続補正２】
【補正対象書類名】明細書
【補正対象項目名】発明の名称
【補正方法】変更
【補正の内容】
【発明の名称】記録材判別装置及び画像形成装置
【手続補正３】
【補正対象書類名】明細書
【補正対象項目名】０００１
【補正方法】変更
【補正の内容】
【０００１】
本発明は、記録材の種類を判別する記録材判別装置及び画像形成装置に関する。
【手続補正４】
【補正対象書類名】明細書
【補正対象項目名】０００７
【補正方法】変更
【補正の内容】
【０００７】
そこで、本発明は、このような従来技術の課題に鑑みて、記録材の種類を短時間、且つ、高精度に判別することができる記録材判別装置及び画像形成装置を提供することを例示的目的とする。
【手続補正５】
【補正対象書類名】明細書
【補正対象項目名】０００８
【補正方法】変更
【補正の内容】
【０００８】
上記目的を達成するために、本発明の一側面としての記録材判別装置は、記録材に光を照射する照射手段と、前記照射手段によって照射された記録材からの光を受光し、複数画素を有する画像として読み取る読取手段と、前記読取手段により読み取られた画像における複数画素の光量値の差の値を算出する算出手段と、前記算出手段によって算出された第１の値の符号と前記第１の値の次に算出された第２の値の符号が同一となる回数をカウントするカウント手段と、前記カウント手段によってカウントされた値に応じて、記録材の種類を判別する制御手段と、を有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】変更
【補正の内容】
【００１２】
本発明によれば、記録材の種類を短時間、且つ、高精度に判別することができる記録材判別装置及び画像形成装置を提供することができる。